(57)【要約】      （修正有）【課題】塵埃が除去されないままフィルタ上に残ることを防止するフィルタ清掃装置を備えた空調室内機を提供する。【解決手段】空調室内機では、フィルタ２５の清掃運転において、ブラシ３３で除去されなかった塵埃が第２ブラシ５３で除去されるので、フィルタ２５からの塵埃除去率が向上する。特に、ブラシ３３及び第２ブラシ５３それぞれのフィルタ２５に対する接触面積、接触密度、接触角度、接触部の材質、及び接触部の毛足の少なくとも一つを異ならせることによって、上流側のブラシ３３で大まかな塵埃を除去し下流側の第２ブラシ５３で細かな塵埃を除去するというような清掃方式を構築できるので、多様な塵埃を除去することができる。【選択図】図４
2015218926.tif 000002
【特許請求の範囲】
【請求項１】
フィルタ（２５）を移動させて前記フィルタ（２５）に付着している塵埃を脱離させるフィルタ清掃機能を有する空調室内機であって、
移動している前記フィルタ（２５）上に接触して前記塵埃を掻き取る第１清掃部材（３３）と、
前記フィルタ（２５）の移動軌道沿いで前記第１清掃部材（３３）とは別の位置に配置され、前記フィルタ（２５）上の前記塵埃を掻き取る第２清掃部材（５３）と、
を備え、
前記第２清掃部材（５３）は、前記第１清掃部材（３３）が前記フィルタ（２５）に接触する態様とは異なる態様で前記フィルタ（２５）に接触し、前記第１清掃部材（３３）が前記フィルタ（２５）から掻き取る塵埃とは異なる塵埃を掻きとる、
空調室内機（１００）。
【請求項２】
前記第２清掃部材（５３）は、前記第１清掃部材（３３）と前記フィルタ（２５）とが接触する面積とは異なる面積で前記フィルタ（２５）に接触する、
請求項１に記載の空調室内機（１００）。
【請求項３】
前記第２清掃部材（５３）は、前記第１清掃部材（３３）と前記フィルタ（２５）とが接触する密度とは異なる密度で前記フィルタ（２５）に接触する、
請求項１に記載の空調室内機（１００）。
【請求項４】
前記第２清掃部材（５３）は、前記第１清掃部材（３３）と前記フィルタ（２５）とが接触する角度とは異なる角度で前記フィルタ（２５）に接触する、
請求項１に記載の空調室内機（１００）。
【請求項５】
前記第２清掃部材（５３）は、前記第１清掃部材（３３）のうちの前記フィルタ（２５）に接触する部分の材質とは異なる材質を有する接触部（５３ｂ）で前記フィルタ（２５）に接触する、
請求項１に記載の空調室内機（１００）。
【請求項６】
前記第１清掃部材（３３）及び前記第２清掃部材（５３）それぞれは、前記フィルタ（２５）に接触する接触部（３３ｂ，５３ｂ）が毛状であり、
前記第２清掃部材（５３）の前記接触部（５３ｂ）は、前記第１清掃部材（３３）の前記接触部（３３ｂ）の毛足とは異なる毛足を有する、
請求項１に記載の空調室内機（１００）。
【請求項７】
前記フィルタ（２５）は前記移動軌道上を往復移動する、
請求項１から請求項６のいずれか１項に記載の空調室内機（１００）。
【請求項８】
前記第２清掃部材（５３）によって掻き取られた前記塵埃は、前記フィルタ（２５）の前記往復移動のうちの復移動時に前記第１清掃部材（３３）側に戻される、
請求項７に記載の空調室内機（１００）。
【請求項９】
前記フィルタ（２５）から掻き取られた前記塵埃が溜められるダストボックス（３７）をさらに備え、
前記ダストボックス（３７）は、前記第１清掃部材（３３）側に配置されている、
請求項８に記載の空調室内機（１００）。
【請求項１０】
前記第１清掃部材（３３）が掻き取った前記塵埃を前記第１清掃部材（３３）から脱離させる櫛状歯（３５）をさらに備える、
請求項９に記載の空調室内機（１００）。
【請求項１１】
フィルタ（２５）を移動させて前記フィルタ（２５）に付着している塵埃を脱離させるフィルタ清掃機能を有する空調室内機であって、
脱離した前記塵埃を溜めるダストボックス（３７）と、
移動している前記フィルタ（２５）上に接触して前記塵埃を掻き取る複数の清掃部材と、
を備え、
複数の前記清掃部材のうちの少なくとも１つの前記清掃部材が前記ダストボックス（３７）に配置され、残りの前記清掃部材が前記ダストボックス（３７）外に配置されている、
空調室内機（１００）。
【発明の詳細な説明】
【技術分野】
【０００１】
本発明は、空調室内機に関し、特に、フィルタに付着した塵埃を自動的に除去するフィルタ清掃機能を有する空調室内機に関する。
【背景技術】
【０００２】
近年、多くの空調室内機に、フィルタ上にブラシを当て両者を相対的に移動させてフィルタに付着している塵埃を脱離させるフィルタ清掃装置が搭載されている。例えば特許文献１（特開２００６−７１１８２号公報）に記載のフィルタ清掃装置では、フィルタの表面側に接触する上ブラシと、フィルタの裏面側に接触する下ブラシとをフィルタを挟んで対向させた構成の清掃ユニットが、清掃ケースの一方のフィルタ出入口側と他方のフィルタ出入口側とにそれぞれ配置されている。そして、このフィルタ清掃装置は、フィルタを所定方向に移動させて停止したのち、フィルタを若干反対方向に移動させることによってフィルタに付着した塵埃を除去している。
【発明の概要】
【発明が解決しようとする課題】
【０００３】
しかしながら、特許文献１に記載の清掃ユニットでは、上下一対のブラシで除去されなかった塵埃がそのブラシでは除去できない種類の塵埃に相当する場合、その塵埃が隣接する同じタイプの上下一対のブラシへ移動しても、最終的に除去しきれずにフィルタ上に残留する。
【０００４】
そこで、本発明の課題は、塵埃が除去されないままフィルタ上に残ることを防止するフィルタ清掃装置を備えた空調室内機を提供することにある。
【課題を解決するための手段】
【０００５】
本発明の第１観点に係る空調室内機は、フィルタを移動させてフィルタに付着している塵埃を脱離させるフィルタ清掃機能を有する空調室内機であって、第１清掃部材と、第２清掃部材とを備えている。第１清掃部材は、移動しているフィルタ上に接触して塵埃を掻き取る。第２清掃部材は、フィルタの移動軌道沿いで第１清掃部材とは別の位置に配置され、フィルタ上の塵埃を掻き取る。また、第２清掃部材は、第１清掃部材がフィルタに接触する態様とは異なる態様でフィルタに接触し、第１清掃部材がフィルタから掻き取る塵埃とは異なる塵埃を掻きとる。
【０００６】
この空調室内機では、第１清掃部材で除去されなかった塵埃が第２清掃部材で除去されるので、フィルタからの塵埃除去率が向上する上に、多様な塵埃を除去することができる。
【０００７】
本発明の第２観点に係る空調室内機は、第１観点に係る空調室内機であって、第２清掃部材が、第１清掃部材とフィルタとが接触する面積とは異なる面積でフィルタに接触する。
【０００８】
この空調室内機では、第１清掃部材及び第２清掃部材それぞれのフィルタに対する接触面積を異ならせることによって、例えば、上流側の清掃部材で大まかな塵埃を除去し下流側で細かな塵埃を除去するというような清掃方式を構築できるので、多様な塵埃を除去することができる。
【０００９】
本発明の第３観点に係る空調室内機は、第１観点に係る空調室内機であって、第２清掃部材が、第１清掃部材とフィルタとが接触する密度とは異なる密度でフィルタに接触する。
【００１０】
この空調室内機では、第１清掃部材及び第２清掃部材それぞれのフィルタに対する接触密度を異ならせることによって、例えば、上流側の清掃部材で大まかな塵埃を除去し下流側で細かな塵埃を除去するというような清掃方式を構築できるので、多様な塵埃を除去することができる。
【００１１】
本発明の第４観点に係る空調室内機は、第１観点に係る空調室内機であって、第２清掃部材が、第１清掃部材とフィルタとが接触する角度とは異なる角度でフィルタに接触する。
【００１２】
この空調室内機では、第１清掃部材及び第２清掃部材それぞれのフィルタに対する接触角度を異ならせることによって、例えば、上流側の清掃部材で大まかな塵埃を除去し下流側で細かな塵埃を除去するというような清掃方式を構築できるので、多様な塵埃を除去することができる。
【００１３】
本発明の第５観点に係る空調室内機は、第１観点に係る空調室内機であって、第２清掃部材が、第１清掃部材のうちのフィルタに接触する部分の材質とは異なる材質を有する接触部でフィルタに接触する。
【００１４】
この空調室内機では、第１清掃部材及び第２清掃部材それぞれのフィルタに対する接触部の材質を異ならせることによって、例えば、上流側の清掃部材で大まかな塵埃を除去し下流側で細かな塵埃を除去するというような清掃方式を構築できるので、多様な塵埃を除去することができる。
【００１５】
本発明の第６観点に係る空調室内機は、第１観点に係る空調室内機であって、第１清掃部材及び第２清掃部材それぞれが、フィルタに接触する接触部が毛状である。第２清掃部材の接触部は、第１清掃部材の接触部の毛足とは異なる毛足を有する。
【００１６】
この空調室内機では、第１清掃部材及び第２清掃部材それぞれのフィルタに対する接触部の毛足を異ならせることによって、例えば、上流側の清掃部材で大まかな塵埃を除去し下流側で細かな塵埃を除去するというような清掃方式を構築できるので、多様な塵埃を除去することができる。
【００１７】
本発明の第７観点に係る空調室内機は、第１観点から第６観点のいずれか１つに係る空調室内機であって、フィルタが移動軌道上を往復移動する。
【００１８】
この空調室内機では、少なくともフィルタが第１清掃部材及び第２清掃部材に対して相対移動するので、フィルタから塵埃を効率よく除去することができる。
【００１９】
本発明の第８観点に係る空調室内機は、第７観点に係る空調室内機であって、第２清掃部材によって掻き取られた塵埃が、フィルタの往復移動のうちの復移動時に第１清掃部材側に戻される。
【００２０】
この空調室内機では、第１清掃部材及び第２清掃部材で除去・捕獲した塵埃を最終的に第１清掃部材側へ集合させることができるので、塵埃の除去後の後処理が容易である。
【００２１】
本発明の第９観点に係る空調室内機は、第８観点に係る空調室内機であって、ダストボックスをさらに備えている。ダストボックスは、フィルタから掻き取られた塵埃が溜められる。また、ダストボックスは、第１清掃部材側に配置されている。
【００２２】
この空調室内機では、第１清掃部材及び第２清掃部材で除去・捕獲した塵埃を最終的に第１清掃部材側へ集合させて、１個のダストボックスへ搬入することができるので、塵埃の除去後の後処理が容易になる上に、１つのダストボックスで足りるのでコスト増を抑制することができる。
【００２３】
本発明の第１０観点に係る空調室内機は、第７観点に係る空調室内機であって、櫛状歯をさらに備えている。櫛状歯は、第１清掃部材が掻き取った塵埃を第１清掃部材から脱離させる。
【００２４】
この空調室内機では、第１清掃部材及び第２清掃部材で除去・捕獲した塵埃を最終的に第１清掃部材側へ集合させることができ、第１清掃部材に対してのみ塵埃を脱離させる櫛状歯を備えれば足りるので、コスト増を抑制することができる。
【００２５】
本発明の第１１観点に係る空調室内機は、フィルタを移動させてフィルタに付着している塵埃を脱離させるフィルタ清掃機能を有する空調室内機であって、ダストボックスと複数の清掃部材とを備えている。複数の清掃部材のうちの少なくとも１つの清掃部材がダストボックスに配置され、残りの清掃部材がダストボックス外に配置されている。
【００２６】
この空調室内機では、複数の清掃部材でフィルタに付着した塵埃を清掃することによって、埃除去率が向上する。
【発明の効果】
【００２７】
本発明の第１観点に係る空調室内機では、第１清掃部材で除去されなかった塵埃が第２清掃部材で除去されるので、フィルタからの塵埃除去率が向上する上に、多様な塵埃を除去することができる。
【００２８】
本発明の第２観点から第６観点のいずれか１つに係る空調室内機では、上流側の清掃部材で大まかな塵埃を除去し下流側で細かな塵埃を除去するというような清掃方式を構築できるので、多様な塵埃を除去することができる。
【００２９】
本発明の第７観点に係る空調室内機では、少なくともフィルタが第１清掃部材及び第２清掃部材に対して相対移動するので、フィルタから塵埃を効率よく除去することができる。
【００３０】
本発明の第８観点に係る空調室内機では、第１清掃部材及び第２清掃部材で除去・捕獲した塵埃を最終的に第１清掃部材側へ集合させることができるので、塵埃の除去後の後処理が容易である。
【００３１】
本発明の第９観点に係る空調室内機では、第１清掃部材及び第２清掃部材で除去・捕獲した塵埃を最終的に第１清掃部材側へ集合させて、１個のダストボックスへ搬入することができるので、塵埃の除去後の後処理が容易になる上に、１つのダストボックスで足りるのでコスト増を抑制することができる。
【００３２】
本発明の第１０観点に係る空調室内機では、第１清掃部材及び第２清掃部材で除去・捕獲した塵埃を最終的に第１清掃部材側へ集合させることができ、第１清掃部材に対してのみ塵埃を脱離させる櫛状歯を備えれば足りるので、コスト増を抑制することができる。
【００３３】
本発明の第１１観点に係る空調室内機では、複数の清掃部材でフィルタに付着した塵埃を清掃することによって、埃除去率が向上する。
【図面の簡単な説明】
【００３４】
【図１】本発明の一実施形態に係る空調室内機の外観図。
【図２】図１に記載の空調室内機をＩＩ−ＩＩ線で切断した場合の断面図。
【図３】フィルタが設置された保持枠の斜視図。
【図４】フィルタ清掃機構の部分断面図。
【図５】フレーム、ブラシ及びブラシ清掃櫛の組立体の斜視図。
【発明を実施するための形態】
【００３５】
以下、本発明に係る空調室内機について、図面を参照しながら説明する。なお、以下の実施形態は、本発明の具体例であって、本発明の技術的範囲を限定するものではない。
【００３６】
（１）空調室内機１００の構成
図１は、本発明の一実施形態に係る空調室内機１００の外観図である。図１において、空調室内機１００は、室内の壁面等に取り付けられ、室外に設置されている室外機（図示せず）に冷媒配管（図示せず）を介して接続されている。
【００３７】
空調室内機１００は、室内を冷房する冷房運転、及び室内を暖房する暖房運転を行うことができる。更に、空調室内機１００は、フィルタ２５（図２参照）を自動で清掃する自動清掃運転を行うこともできる。
【００３８】
（２）詳細構成
図２は、図１に記載の空調室内機１００をＩＩ−ＩＩ線で切断した場合の断面図である。図２において、空調室内機１００は、ケーシング１１と、室内熱交換器１３と、室内ファン１５と、底フレーム１７と、フィルタ２５と、フィルタ清掃部７０とを備えている。
【００３９】
以下の説明の便宜上、「上」「下」「左」「右」「正面」「背面」等の方向を示す表現を用いるが、これらは、空調室内機１００が図１の状態で室内の壁面等に設置された状態での各方向を表す。
【００４０】
（２−１）ケーシング１１
ケーシング１１は、図１に示すように、横方向（図１のＷ方向）に細長い箱状の形状を有している。ケーシング１１は、図１，２に示すように、天面板１１ａ、前面板１１ｂ及び背面板１１ｃによって立体空間を形成し、その立体空間内に室内熱交換器１３、室内ファン１５、底フレーム１７、フィルタ清掃部７０が収納されている。
【００４１】
天面板１１ａは、ケーシング１１の天面を構成する。前面板１１ｂは、ケーシング１１の正面を構成する。また、前面板１１ｂは、その上端が天面板１１ａの一部分に回動自在に支持され、ヒンジ式に動作することができる。
【００４２】
背面板１１ｃは、ケーシング１１の背面を構成している。この背面板１１ｃが、室内の壁面に設置された取り付け板（図示せず）にビス止め等によって取り付けられることによって、空調室内機１００が室内の壁面に設置される。
【００４３】
ケーシング１１の天面板１１ａには、天面板１１ａの前側から後側にかけて天面吸込口２１が設けられている。この天面吸込口２１から天面吸込口２１近傍の室内空気が室内ファン１５の駆動によってケーシング１１内部へと取り込まれ、室内熱交換器１３の前側熱交換部１３ａ，１３ｂ及び後側熱交換部１３ｃそれぞれに送られる。
【００４４】
図２の点線の矢印Ａは、天面吸込口２１及び前側熱交換部１３ｂを介して室内ファン１５へと送られる室内空気の流れを表している。
【００４５】
ケーシング１１の下面は、底フレーム１７の底部１７ａによって構成されているが、該下面には、下面吸込口２２と、吹出口２３とが形成されている。下面吸込口２２は、吹出口２３よりも壁側に設けられており、吸込流路１６によってケーシング１１の内部と繋がっている。
【００４６】
下面吸込口２２からは、下面吸込口２２近傍の室内空気が、室内ファン１５の駆動によってケーシング１１内部へと取り込まれ、吸込流路１６を通って室内熱交換器１３の後側熱交換部１３ｃへと送られる。
【００４７】
図２の点線の矢印Ｂは、下面吸込口２２から後側熱交換部１３ｃへと送られる室内空気の流れを表している。
【００４８】
吹出口２３は、下面吸込口２２よりも空調室内機１００の正面側に設けられており、吹出流路１８によってケーシング１１の内部と繋がっている。天面吸込口２１及び下面吸込口２２から吸い込まれ室内空気は、室内熱交換器１３にて熱交換された後、吹出流路１８を通って吹出口２３から室内へと吹き出される。
【００４９】
図２の点線の矢印Ｃは、吹出流路１８から吹出口２３を介して室内へと送られる空気の流れを表している。
【００５０】
吸込流路１６は、下面吸込口２２から底フレーム１７の流路形成壁１７ｂに沿って形成されている。吹出流路１８は、吹出口２３から底フレーム１７の流路形成壁１７ｂに沿って形成されている。即ち、吸込流路１６及び吹出流路１８は、底フレーム１７の流路形成壁１７ｂを挟んで互いに隣接して位置している。
【００５１】
なお、吹出口２３付近には、水平フラップ２３ａがケーシング１１に対して回動自在に取り付けられている。水平フラップ２３ａは、フラップ駆動用モータ（図示せず）によって回動し、空調室内機１００の運転状態に応じて吹出口２３を開閉する。更に、水平フラップ２３ａは、吹出口２３から吹き出された室内空気がユーザの所望する方向へと案内されるように、室内空気の吹き出し方向を変更する機能を有する。
【００５２】
（２−２）室内熱交換器１３
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能し、冷媒と室内熱交換器１３を通過する空気との間で熱交換を行わせる。
【００５３】
室内熱交換器１３は、図２に示すように、側面視において両端が下方に向いて屈曲する略逆Ｖ字型の形状を有し、その下方に室内ファン１５が位置している。
【００５４】
（２−３）室内ファン１５
室内ファン１５は、ケーシング１１の内部に位置しており、図１に示すＷ方向に細長い略円筒形状のクロスフローファンである。室内ファン１５が稼働することによって、室内空気が天面吸込口２１及び下面吸込口２２それぞれから吸い込まれて室内熱交換器１３を通過した後に、吹出口２３から室内へと供給される（図２の点線の矢印Ａ，Ｂ，Ｃを参照）。
【００５５】
（２−４）底フレーム１７
底フレーム１７は、底部１７ａと流路形成壁１７ｂとで構成されている。底部１７ａは、ケーシング１１の下面の少なくとも一部を構成する要素であって、底フレーム１７のうちの空調室内機１００の外部に露出する部分である。
【００５６】
流路形成壁１７ｂは、底フレーム１７のうちの、ケーシング１１の内部に位置する部位である。流路形成壁１７ｂは、底部１７ａの一端から上方に延びており、且つ室内ファン１５の形状に沿って湾曲した形状を成している。
【００５７】
（２−５）フィルタ２５
フィルタ２５は、ケーシング１１の天面板１１ａと室内熱交換器１３との間に配置されており、ケーシング１１の内部に着脱可能に装着される。フィルタ２５は、前側熱交換部１３ａ，１３ｂ及び後側熱交換部１３ｃを覆っている。
【００５８】
フィルタ２５は、その略中央の部分がケーシング１１の天面板１１ａに沿って延びており、更にはその前後方向における前側端部２５ａ及び後側端部２５ｂが室内熱交換器１３の頂点１３ｄよりも下方に垂れ下がっている。フィルタ２５は、室内熱交換器１３の上方を覆うような略逆Ｕ字形状を有している。
【００５９】
フィルタ２５の後側端部２５ｂは、後側熱交換部１３ｃをほぼ覆う位置にまで達しており、フィルタ２５の前側端部２５ａは、前側熱交換部１３ｂ全てを覆いつつ、且つ前側熱交換部１３ａの上部を部分的に覆う位置にまで達している。それゆえ、後側熱交換部１３ｃに対応するフィルタ２５の部分は、下面吸込口２２から吸い込まれた室内空気から塵埃を除去することができる。また、前側熱交換部１３ａ，１３ｂに対応するフィルタ２５の部分は、天面吸込口２１から吸い込まれた室内空気から塵埃を除去することができる。このように、フィルタ２５は、室内熱交換器１３の表面が室内空気中の塵埃によって汚染されることを防いでいる。
【００６０】
フィルタ２５は、例えば、樹脂製の糸で平織りまたは綾織された網であって、環形状に成形されており、支持枠２７に掛け渡されている。
【００６１】
図３は、フィルタ２５が設置された保持枠４０の斜視図である。図３において、支持枠２７（図１参照）に掛け渡されたフィルタ２５は、保持枠４０の正面視において右側と左側とに、並ぶようにして２つ設けられている。フィルタ２５には、一般のフィルタに見られるような補強用の縁やリブが設けられていないため、フィルタ２５は、自身で安定した形状を維持することができない。そのため、フィルタ２５は支持枠２７に掛け渡された状態のまま保持枠４０に設置されることによって、所定の環形状を保つことができる。
【００６２】
（２−６）フィルタ清掃部７０
図４は、フィルタ清掃部７０の部分断面図である。図４において、フィルタ清掃部７０は、フィルタ駆動機構７１、第１フィルタ清掃機構７３、及び第２フィルタ清掃機構７５を含んでいる。
【００６３】
フィルタ駆動機構７１は、フィルタ２５を所定の軌道上で周回させる。第１フィルタ清掃機構７３は、フィルタ２５に付着した塵埃を除去する。第２フィルタ清掃機構７５は、第１フィルタ清掃機構７３とは異なる位置でフィルタ２５に付着した塵埃を除去する。
【００６４】
フィルタ清掃部７０は、フィルタ駆動機構７１によってフィルタ２５を所定の軌道に沿って往復移動させ、フィルタ２５に付着した塵埃を第１フィルタ清掃機構７３及び第２フィルタ清掃機構７５によって除去する。
【００６５】
（３）フィルタ清掃部７０の詳細説明
（３−１）フィルタ駆動機構７１
フィルタ駆動機構７１は、支持枠２７、ローラ３２ａ、ローラ駆動モータ３２ｂ、及び保持枠４０を有している。
【００６６】
（３−１−１）支持枠２７
支持枠２７は、環形状のフィルタ２５をその内側から支持する。
【００６７】
（３−１−２）ローラ３２ａ
ローラ３２ａは、環形状のフィルタ２５にその内側から接触して回転力を伝達する。ローラ３２ａの周面には、いわゆるパイル織りされた織物基布が貼り付けられている。ローラ３２ａの周面における織物基布はフィルタ２５の網目に入り込んでおり、ローラ３２ａとフィルタ２５との間には滑りが生じ難くなっている。
【００６８】
（３−１−３）ローラ駆動モータ３２ｂ
ローラ駆動モータ３２ｂは、図３に示すように保持枠４０の側部に配置されている。ローラ駆動モータ３２ｂは、その出力軸がローラ３２ａの回転軸に接続されている。ローラ駆動モータ３２ｂが駆動することで、ローラ３２ａが回転し、フィルタ２５が周回する。
【００６９】
（３−１−４）保持枠４０
保持枠４０は、ローラ３２ａ、ローラ駆動モータ３２ｂ及び支持枠２７を保持する。図３に示すように、保持枠４０は、正面視中央に位置する中央板４１、その中央板４１を挟んで左右に位置する左側板４２及び右側板４３を有している。
【００７０】
中央板４１と左側板４２とが、一組のフィルタ２５、支持枠２７、及びローラ３２ａを挟んで保持し、さらに中央板４１と右側板４３とが他の一組のフィルタ２５、支持枠２７、及びローラ３２ａを挟んで保持する。
【００７１】
（３−２）第１フィルタ清掃機構７３
第１フィルタ清掃機構７３は、ケーシング１１内部において、フィルタ２５の下部の折り返し部分近傍で、フィルタ２５に対峙するように設けられている。第１フィルタ清掃機構７３は、フレーム３１、ブラシ３３、ブラシ駆動モータ３４（図３参照）、ブラシ清掃櫛３５、ダストボックス３７及び圧縮ローラ３８を有している。
【００７２】
（３−２−１）フレーム３１
図５は、第１フィルタ清掃機構７３のフレーム３１、ブラシ３３及びブラシ清掃櫛３５の組立体３０の斜視図である。図５において、フレーム３１は、空調室内機１００の長手方向(図１のＷ方向）に沿った細長い形状を有している。フレーム３１の内部にブラシ３３が着脱可能に取りつけられる。
【００７３】
図４に示すように、フレーム３１の上面には開口部３１ａが形成されている。フレーム３１は、フィルタ２５下部の折り返し部分よりも下方に位置しているため、フレーム３１の開口部３１ａを介してブラシ３３の一部が、フレーム３１の上方の空間に露出し、且つ開口部３１ａを介してフィルタ２５に直接接触する。
【００７４】
（３−２−２）ブラシ３３
ブラシ３３は、図５に示すように、フレーム３１に沿って細長い形状を成しており、その長手方向に直交する断面が略円形の形状を成している。ブラシ３３は、フィルタ２５に直接接触することにより、フィルタ２５から塵埃を除去する。
【００７５】
ブラシ３３は、図４に示すように、芯材３３ａと、芯材３３ａの周面に設けられた複数の線状の毛材３３ｂを有している。毛材３３ｂは、フィルタ２５に接触可能な長さ（毛足）を有している。また、ブラシ３３は、フレーム３１に回転可能に支持されている。
【００７６】
ブラシ３３を駆動するブラシ駆動モータ３４は、ステッピングモータである。ブラシ駆動モータ３４の出力軸はブラシ３３の回転軸に接続されているので、ブラシ駆動モータ３４が駆動することによってブラシ３３が回転する。
【００７７】
フィルタ２５とブラシ３３とは相対的に移動することができる。ブラシ３３が回転する際は、フィルタ２５の移動が停止していてもよい。逆にフィルタ２５が移動している際は、ブラシ３３は停止していてもよい。
【００７８】
（３−２−３）ブラシ清掃櫛３５
ブラシ清掃櫛３５は、図５に示すように、フレーム３１に取り付けられている。また、ブラシ清掃櫛３５は、ブラシ３３の回転軸方向に沿って配置されている。また、ブラシ清掃櫛３５は、フレーム３１の背面からブラシ３３に向かって突出している。さらに、ブラシ清掃櫛３５はブラシ３３の回転方向（図５のブラシ３３：矢印の方向）に逆らうようにして傾斜しているので、ブラシ清掃櫛３５はブラシ３３が図５の矢印の方向に回転するときに、ブラシ３３の毛材３３ｂの間の塵埃を掻き落とす。
【００７９】
（３−２−４）ダストボックス３７
ダストボックス３７は、図４に示すように、ブラシ３３及びブラシ清掃櫛３５の下方に配置される。ダストボックス３７内には、ブラシ清掃櫛３５によってブラシ３３から掻き落とされた塵埃が貯められる。
【００８０】
また、ダストボックス３７は、フレーム３１に対し着脱可能に取り付けられているので、ユーザはダストボックス３７をフレーム３１及びケーシング１１から取り外して、ダストボックス３７内にたまった塵埃を容易に処理することができる。
【００８１】
（３−２−５）圧縮ローラ３８
圧縮ローラ３８は、円柱状の棒状部材である。また、圧縮ローラ３８は、フレーム３
１に回転可能に支持されている。また、圧縮ローラ３８は、図４及び図５に示すように、ブラシ清掃櫛３５の付近において、ブラシ３３に接触するようにして位置している。
【００８２】
ブラシ３３が図５の矢印の方向へと回転した際、このブラシ３３の回転に追従して、ブラシ３３の回転方向とは逆の方向に回転する。圧縮ローラ３８により、ダストボックス３７内に溜まった塵埃は圧縮されるので、ダストボックス３７内には塵埃が比較的多く入るようになる。
【００８３】
（３−３）第２フィルタ清掃機構７５
第２フィルタ清掃機構７５は、第１フィルタ清掃機構７３で除去できなかった塵埃を除去するために設けられている。
【００８４】
第２フィルタ清掃機構７５の設置は、第１フィルタ清掃機構７３が取りこぼした塵埃だけでなく、第１フィルタ清掃機構７３固有の性能では除去しきれない塵埃をも除去することを目的としている。
【００８５】
そのため、第２フィルタ清掃機構７５には、第１フィルタ清掃機構７３のブラシ３３とは異なるタイプの第２ブラシ５３が含まれている。
【００８６】
（３−３−１）第２ブラシ５３
第２ブラシ５３は、いわゆるエチケットブラシであり、合成樹脂製の基台５３ａと、パイル織りされた織物基布５３ｂとを有している。織物基布５３ｂは、基台５３ａに貼り付けられている。織物基布５３ｂは、織物の表面を覆っているパイルと呼ばれる毛が一定の角度で傾斜するように織られおり、細かな埃を捕獲することができる。
【００８７】
例えば、フィルタ２５に付着した塵埃のうちの、綿埃のような大き目の塵埃は、第１フィルタ清掃機構７３のブラシ３３によって除去されるが、細かな塵埃は除去されない虞がある。
【００８８】
そこで、清掃時のフィルタ２５の移動方向において、ブラシ３３の下流側に第２ブラシ５３が配置されることによって、ブラシ３３で除去できなかった塵埃を第２ブラシ５３で除去することができる。
【００８９】
本実施形態では、第２ブラシ５３にパイル織りされた織物基布５３ｂを採用しているが、これに限定されるものではなく、ブラシ３３によって除去できない塵埃を除去することができる態様であれば適宜採用することができる。
【００９０】
（３−３−２）取付部材６３
取付部材６３は、第２ブラシ５３を所定位置に固定する。取付部材６３は、フィルタ２５の周回軌道沿いに位置し、その位置は、フィルタ２５の周回方向（図４のフィルタ２５の矢印方向）において、第１フィルタ清掃機構７３の下流側となる。
【００９１】
第２ブラシ５３の織物基布５３ｂがフィルタ２５に接触するように、第２ブラシ５３の基台５３ａが取付部材６３に固定される。織物基布５３ｂがフィルタ２５を前方（室内熱交換器１３から離れる方向）へ押すような配置が好ましい。
【００９２】
（４）ブラシ３３と第２ブラシ５３との対比
（４−１）構成
ブラシ３３では、芯材３３ａに樹脂製の毛材３３ｂが放射状に植え込まれており、毛材３３ｂの高さ（毛足）は長い。これに対し、第２ブラシ５３の織物基布５３ｂの表面は、ブラシ３３の毛材３３ｂに比べて極端に短いパイルで覆われている。
【００９３】
（４−２）フィルタ２５との接触角度及び接触密度
したがって、ブラシ３３はフィルタ２５の移動方向に毛材３３ｂが流れるので、接触面積が変動する。これに対し、第２ブラシ５３では毛材に相当するパイルが極端に短いので、フィルタ２５との接触面積はフィルタ２５の停止及び移動に関係なく一定である。
【００９４】
本実施形態では、第２ブラシ５３とフィルタ２５との接触面積は、ブラシ３３とフィルタ２５との接触面積よりも大きく設定されており、その分だけ接触密度が大きく、ブラシ３３で除去できない細かな塵埃を除去することができる。
【００９５】
（４−３）フィルタ２５との接触角度
ブラシ３３では、芯材３３ａに毛材３３ｂが放射状に植え込まれているので、フィルタ２５に対する毛材３３ｂの接触角度は特定できない。
【００９６】
しかし、第２ブラシ５３では、織物基布５３ｂのパイルは一定方向に傾斜している。本実施形態では、パイルの先がフィルタ２５の移動方向に逆らう方向に向いて接触しており、ブラシ３３で除去できない細かな塵埃がパイルの先から根元に溜めることができる。
【００９７】
（５）フィルタ清掃部７０の動作
空調室内機１００は、ケーシング１１内にフィルタ清掃部７０の動作を制御する制御部（図示せず）を内蔵している。制御部は、空調室内機１００の運転時間をカウントしており、前回のフィルタ清掃運転からの累積運転時間が所定時間（例えば、１８時間）に到達したとき、ブラシ３３を回転させながら、フィルタ２５を所定回数（例えば、１回）だけ周回させる。
【００９８】
その間、ブラシ３３とフィルタ２５とが相対移動するので、ブラシ３３の毛材３３ｂがフィルタ２５の網目に入り込んで、その網目につまった塵埃を掻き出す。その塵埃は、ブラシ３３の下方に位置するダストボックス３７内に溜まる。
【００９９】
フィルタ２５の移動とともにブラシ３３を通過してしまった塵埃（例えば細かい塵埃）は、下流に位置する第２ブラシ５３の織物基布５３ｂのパイルに捕獲される。パイルはフィルタ２５の移動方向に逆らう向きに傾斜しているので、パイルがフィルタ２５の網の目に残留した細かな塵埃を掻き取り、パイルの先から根元に溜めこむ。
【０１００】
フィルタ清掃部７０は、フィルタ清掃運転が終了した後にフィルタ２５を清掃時とは反対の方向に周回させる。このとき、第２ブラシ５３のパイルに溜め込まれた塵埃は、フィルタ２５がパイルの傾斜方向に逆らわずに移動するので、溜め込まれ圧縮されて大きくなった塵埃がパイルの根元から先に向かって移動し、フィルタ２５とともにブラシ３３に向かって移動する。
【０１０１】
第２ブラシ５３から移動してきた塵埃は、直前まで第２ブラシ５３で溜め込まれ、その間に成長してブラシ３３に掻き取られるほどの大きさになっているので、ブラシ３３によって容易に掻き取られ、ダストボックス３７に集積される。また、ブラシ３３に捕獲されたままの塵埃は、ブラシ清掃櫛３５によって、ダストボックス３７に振り落とされる。
【０１０２】
上記動作は、リモコン（図示せず）を使って強制的に上記フィルタ清掃運転を実行することもできる。
【０１０３】
（６）特徴
（６−１）
空調室内機１００では、フィルタ２５の清掃運転において、ブラシ３３で除去されなかった塵埃が第２ブラシ５３で除去されるので、フィルタ２５からの塵埃除去率が向上する上に、多様な塵埃を除去することができる。
【０１０４】
（６−２）
空調室内機１００では、ブラシ３３及び第２ブラシ５３それぞれのフィルタ２５に対する接触面積、接触密度、接触角度、接触部の材質、及び接触部の毛足の少なくとも一つを異ならせることによって、例えば、上流側の清掃部材で大まかな塵埃を除去し下流側で細かな塵埃を除去するというような清掃方式を構築できるので、多様な塵埃を除去することができる。
【０１０５】
（６−３）
空調室内機１００では、少なくともフィルタ２５がブラシ３３及び第２ブラシ５３に対して相対移動するので、フィルタから塵埃を効率よく除去することができる。
【０１０６】
（６−４）
空調室内機１００では、ブラシ３３及び第２ブラシ５３で除去・捕獲した塵埃を最終的にブラシ３３側へ集合させることができるので、塵埃の除去後の後処理が容易である。
【０１０７】
（６−５）
空調室内機１００では、ブラシ３３及び第２ブラシ５３で除去・捕獲した塵埃を最終的にブラシ３３側へ集合させて、１個のダストボックス３７へ搬入することができるので、塵埃の除去後の後処理が容易になる上に、１つのダストボックス３７で足りるのでコスト増を抑制することができる。
【０１０８】
（６−６）
空調室内機１００では、ブラシ３３及び第２ブラシ５３で除去・捕獲した塵埃を最終的にブラシ３３側へ集合させることができ、ブラシ３３に対してのみ塵埃を脱離させるブラシ清掃櫛３５を備えれば足りるので、コスト増を抑制することができる。
【０１０９】
＜その他の実施形態＞
上記実施形態では、ブラシ３３と第２ブラシ５３とは性質の異なる清掃部材であるが、これに限定されるものではない。
【０１１０】
例えば、複数の清掃部材のうちの少なくとも１つの清掃部材がダストボックス３７に配置され、残りの清掃部材がダストボックス３７外に配置されていれば、複数の清掃部材それぞれは同じものであっても良く、或いは、それぞれのフィルタ２５に対する接触面積、接触密度、接触角度、接触部の材質、及び接触部の毛足の少なくとも一つを異ならせてもよい。
【０１１１】
上記のように、ダストボックス３７とは離れた箇所でフィルタ２５に付着した塵埃を除去する清掃部材が存在することによって、ダストボックス３７の近傍であるがゆえにダストボックス３７で舞い上がる塵埃を再び取り込んでしまい、除去できなかった塵埃をダストボックス３７とは離れた箇所で清掃することができるようになり、埃除去率が向上する。
【０１１２】
もちろん、単純に清掃部材が増加することによる埃除去率の向上という効果も見込める。
【産業上の利用可能性】
【０１１３】
以上のように、本発明によれば、フィルタに付着した塵埃を効率よく確実に除去することができるので、空調室内機に限らず、フィルタ自動清掃機能付きの機器に有用である。
【符号の説明】
【０１１４】
２５    フィルタ
３３    ブラシ（第１清掃部材）
３３ｂ  毛材（接触部）
３５    ブラシ清掃櫛（櫛状歯）
３７    ダストボックス
５３    第２ブラシ（第２清掃部材）
５３ｂ  織物基布（接触部）
１００  空調室内機
【先行技術文献】
【特許文献】
【０１１５】
【特許文献１】特開２００６−７１１８２号公報
【図１】
2015218926.tif 000003
【図２】
2015218926.tif 000004
【図３】
2015218926.tif 000005
【図４】
2015218926.tif 000006
【図５】
2015218926.tif 000007